(57)【要約】【課題】背枠にメッシュ材等の可撓性シートを張った構造の背もたれにおいて、背枠のアッパーフレームを後ろに折り返しても、可撓性シートの上部を保形して身体の支持安定性を確保する。【解決手段】背もたれ３は、背枠４１にメッシュ状等の可撓性シート４８を張った構造であり、背枠４１のアッパーフレーム５１が後ろ下向きに折り返されている。アッパーフレーム５１に、横長装架部５３ａとカール部５３ｂとを有するアッパーシェル５３が取り付けられており、可撓性シート４８の上端はアッパーシェル５３で保形されている。従って、着座者の身体を安定良く支持できる。アッパーシェル５３は、可撓性シート４８の取り付け部材であるシート保持枠のアッパーメンバーを利用しているため、構造が簡単であるのみならず、背もたれ３の組み立ても容易である。【選択図】図２
2020185463.tif 000002
【特許請求の範囲】
【請求項１】
背もたれを、前後開口の背枠に可撓性シートが張られた構造にしており、
前記背枠は、上下長手の左右サイドフレームとその上端間に繋がったアッパーフレームとを有しており、前記左右サイドフレームの上端を結ぶ線を基準線として、前記アッパーフレームが、少なくとも前記基準線の後方に向けて後退している一方、
前記可撓性シートは、上下長手の左右サイドメンバーの上端間にアッパーメンバーが繋がったシート保持枠に取り付けられている構成であって、
前記シート保持枠のサイドメンバーは、前記背枠のサイドフレームに手前から重なっており、前記シート保持枠のアッパーメンバーが、前記可撓性シートの上端を前記基準線に沿った姿勢に保持する保形部材になっている、
椅子の背もたれ。
【請求項２】
背もたれを、前後開口の背枠に撓性シートが張られた構造にしており、
前記背枠は、上下長手の左右サイドフレームとその上端間に繋がったアッパーフレームとを有しており、前記左右サイドフレームの上端を結ぶ線を基準線として、前記アッパーフレームが、少なくとも前記基準線の後方に向けて後退している構成であって、
前記左右サイドフレームの上端間に、前記可撓性シートの上端を前記基準線に沿った姿勢に保持する保形部材が配置されており、前記保形部材によって前記アッパーフレームが上から覆われており、前記可撓性シートの上端は、前記保形部材を殆ど視認できない状態に覆うように後ろ側に巻かれている、
椅子の背もたれ。
【請求項３】
前記背枠のアッパーフレームは、側面視において、前記サイドフレームの上端から後ろ下向きに折り返された形態を成している一方、
前記保形部材は、前記基準線に略沿って延びる横長装架部と、その後端に連続した後ろ下向きのカール部とを有するシェル構造になっており、前記保形部材のカール部で前記背枠のアッパーフレームが覆われている、
請求項１又は２に記載した椅子の背もたれ。
【請求項４】
前記保形部材における横長装架部の左右両端部に、前向きに開口した切り開き溝が形成されている、
請求項３に記載した椅子の背もたれ。
【発明の詳細な説明】
【技術分野】
【０００１】
本願発明は、椅子の背もたれ関するものであり、より詳しくは、背枠にメッシュ状等の可撓性シートを張った構造の背もたれに関するものである。
【背景技術】
【０００２】
椅子の背もたれの一態様として、前後に開口した背枠にメッシュ材を張った方式のものがある。その一例として特許文献１があり、この特許文献１では、背枠の上端を構成するアッパーフレームは、後ろ向き凸の状態に緩く湾曲している。
【０００３】
可撓性シートはピンと張られているため、当該可撓性シートの上端は左右のサイドフレームの上端を繋ぐ方向に延びる傾向を呈している。このため、可撓性シートの前面の上端とアッパーフレームとの間には間隔が空いており、着座者の体圧がかかると、可撓性シートの前面の上端はアッパーフレームに近づくように伸び変形する。
【先行技術文献】
【特許文献】
【０００４】
【特許文献１】特開２０１４−７９５１０号公報
【発明の概要】
【発明が解決しようとする課題】
【０００５】
特許文献１のような構造の場合、可撓性シートの前面の上端とアッパーフレームとの間隔が小さい場合はさほど問題ないが、間隔が広がると、可撓性シートの上端部が過度に変形して、可撓性シートによる身体の支持安定性が悪化してしまう問題がある。また、可撓性シートに弛みも生じやすい。特に、アッパーフレームが後ろ下向きに折り返されていると、可撓性シートの支持安定性低下が顕著に顕れると云える。
【０００６】
本願発明はこのような現状の下で成されたものであり、デザイン等の理由によってアッパーフレームが後ろに後退していても、可撓性シートで身体をしっかりと支持できるようにすることを目的とするものである。
【課題を解決するための手段】
【０００７】
本願発明は様々な構成を含んでおり、その典型例を各請求項で特定している。このうち請求項１の発明では、背もたれを、前後開口の背枠に可撓性シートが張られた構造にしており、前記背枠は、上下長手の左右サイドフレームとその上端間に繋がったアッパーフレームとを有しており、前記左右サイドフレームの上端を結ぶ線を基準線として、前記アッパーフレームが、少なくとも前記基準線の後方に向けて後退している一方、前記可撓性シートは、上下長手の左右サイドメンバーの上端間にアッパーメンバーが繋がったシート保持枠に取り付けられている、という基本構成になっている。
【０００８】
そして、前記基本構成において、前記シート保持枠のサイドメンバーは、前記背枠のサイドフレームに手前から重なっており、前記シート保持枠のアッパーメンバーが、前記可撓性シートの上端を前記基準線に沿った姿勢に保持する保形部材になっている。
【０００９】
請求項２の発明は、「背もたれを、前後開口の背枠に撓性シートが張られた構造にしており、前記背枠は、上下長手の左右サイドフレームとその上端間に繋がったアッパーフレームとを有しており、前記左右サイドフレームの上端を結ぶ線を基準線として、前記アッパーフレームが、少なくとも前記基準線の後方に向けて後退している」、という基本構成
にいて、
前記左右サイドフレームの上端間に、前記可撓性シートの上端を前記基準線に沿った姿勢に保持する保形部材が配置されており、前記保形部材によって前記アッパーフレームが上から覆われており、前記可撓性シートの上端は、前記保形部材を殆ど視認できない状態に覆うように後ろ側に巻かれている。
【００１０】
請求項３の発明は、請求項１又は２において、前記背枠のアッパーフレームは、側面視において、前記サイドフレームの上端から後ろ下向きに折り返された形態を成している一方、前記保形部材は、前記基準線に略沿って延びる横長装架部と、その後端に連続した後ろ下向きのカール部とを有するシェル構造になっており、前記保形部材のカール部で前記背枠のアッパーフレームが覆われている。
【００１１】
請求項４の発明は、請求項３において、前記保形部材における横長装架部の左右両端部に、前向きに開口した切り開き溝が形成されている。
【発明の効果】
【００１２】
本願発明では、保形部材が可撓性シートの上部の形態を保持する保形機能を有するため、背枠のアッパーフレームがデザイン等の要請で後ろや後ろ下方に大きく後退していても、可撓性シートの上端部を保形して、着座者の身体をしっかりと支持できる。また、可撓性シートの弛みも防止できる。このため、座者の支持安定性を損なうことなく、アッパーフレームの設計の自由性を向上できる。
【００１３】
そして、請求項１の発明では、シート保持枠のアッパーメンバーを保形部材として使用しているため、可撓性シートの取り付けの手間を軽減できるのみならず、可撓性シートをピンと張った状態に保持することも簡単である。他方、請求項２の発明では、保形部材によってアッパーフレームが覆われているため、美観に優れている。
【００１４】
保形部材は様々の形態を採用できるが、請求項３の構成を採用すると、アッパーフレームはアッパーシェルで覆われて、その存在が視認できない又はし難いため、外観をシンプル化して見た目も良くすることができる。また、可撓性シートは、浮きを生じることなくカール部の外面に密着させることができるため、美観がより一層優れている。
【００１５】
請求項４の構成を採用すると、アッパーシェルは、切り開き溝の個所で曲げ強度が低くなるため、着座者の体圧がアッパーシェルの横長装架部にかかったときに、アッパーシェルを後ろ側に曲がるように弾性変形させることが容易になる。すなわち、アッパーシェルを着座者の体圧によって変形させることが可能になる。これにより、アッパーシェルを設けたことによる突っ張り感を防止しやすくなる。
【００１６】
また、実施形態のように、背枠のうち、アッパーフレームの左右端部（又はアッパーフレームとサイドフレームとの連接部）を容易に変形し得るヒンジ部となすことにより、背もたれの側面視姿勢を容易に変化させ得るように構成した場合、請求項４のようにアッパーシェルの左右端部に切り欠きを形成していると、アッパーシェルも切り欠きの個所で容易に変形するため、背枠におけるヒンジ部の変形がアッパーシェルによって阻害されることを抑制して、背もたれの姿勢の変化を確実化することもできる。
【図面の簡単な説明】
【００１７】
【図１】第１実施形態に係る椅子を前方から見た斜視図であり、（Ａ）は可撓性シートを表示したもの、（Ｂ）は可撓性シートを省略したものである。
【図２】第１実施形態に係る椅子を後方から見た斜視図であり、（Ａ）は可撓性シートを表示したもの、（Ｂ）は可撓性シートを省略したものである。
【図３】（Ａ）は分離斜視図、（Ｂ）は側面図である。
【図４】分離斜視図である。
【図５】（Ａ）はベースの周辺部の分離斜視図、（Ｂ）は傾動フレームと背支柱との分離斜視図である。
【図６】座部を中心にしたおおまかな縦断側面図である。
【図７】背もたれを前進させる連動手段を示す図であり、（Ａ）（Ｂ）は第１連動リンクの斜視図、（Ｂ）は第２連動リンクと背枠との分離斜視図である。
【図８】（Ａ）は第１連動リンクとリアブロックとの分離斜視図、（Ｂ）は第１連動リンクをリアブロックに取り付けた状態の斜視図、（Ｃ）は部分的な側面図である。
【図９】前方から見た背部の分離斜視図である。
【図１０】後方から見た背部の分離斜視図である。
【図１１】背枠とシート保持枠との分離斜視図である。
【図１２】背枠とシート保持枠との分離斜視図である。
【図１３】（Ａ）は背支柱と背枠との分離斜視図、（Ｂ）はシート保持枠の取り付け手順を示す斜視図である。
【図１４】背枠とシート保持枠との分離斜視図である。
【図１５】（Ａ）は図１（Ｂ）のＡ−Ａ視断面図、（Ｂ）は（Ａ）の部分拡大図、（Ｃ）は図１（Ｂ）のＣ−Ｃ視断面図である。
【図１６】背部の中央部の縦断側面図である。
【発明を実施するための形態】
【００１８】
次に、本願発明の実施形態を図面に基づいて説明する。本願では、方向を特定するため左右・前後の文言を使用しているが、これは、椅子に普通に腰掛けた人を基準にしている。正面図は着座した人と対向した方向である。念のため、図１に方向を明示している。
【００１９】
本実施形態は、オフィスで多用されている回転椅子に適用している。また、本実施形態の椅子は、人が着座すると背もたれの前部が前進するタイプであり、従って、例えば、特許第４９６０６８９公報に開示されている椅子と同じタイプである。
【００２０】
(1).椅子の概略・座の下降機構
まず、図１〜６を参照して、椅子の概略と座の動きとを説明する。図１のとおり、椅子は、主要要素として、脚装置１、座２、背もたれ３を備えている。脚１は、ガスシリンダより成る脚支柱４と放射方向に延びる枝部５とを有しており、各枝部５の先端にはキャスタを設けている。図４に示すように、脚支柱４の上端には、上向きに開口した略箱状のベース６が固定されている。
【００２１】
ベース６の前端部には、樹脂製やアルミダイキャスト製のフロントブロック７がボルトで固定されており、フロントブロック７には、左右一対のフロントリンク８が回動可能に取り付けられている。フロントリンク８は、人が着座していないニュートラル状態で、側面視で鉛直線に対して少し後傾しており、人が着座すると後傾する。後傾角度の規制は、図６から理解できるように、回転軸９に設けたストッパー１０が、フロントブロック７の内部に設けた凹所１１の底面に当たることによって行われている。フロントリンク８は、図示しないばねにより、ニュートラル状態に戻るように付勢されている。
【００２２】
また、図４〜６に示すように、ベース６は左右側板６ａを備えており、ベース６の内部に、左右側板１２ａを有する傾動体１２が配置されており、傾動体１２は、左右長手の支軸１３によってベース６に回動自在に連結されている。
【００２３】
図６に示すように、傾動体１２の後部はベース６の後ろにはみ出ており、傾動体１２の後部にリアブロック１４が固定されている。そして、図４や図５（Ｂ）から理解できるよ
うに、リアブロック１４は、ベース６の左右外側に位置した前向き腕部１４ａを有しており、前向き腕部１４ａの前端部にリアリンク１５がピンで連結されている。また、リアブロック１４の後部に背支柱１６が固定されており、背支柱１６の上端に背もたれ３を取り付けている。
【００２４】
図３，６に示すように、座２は、座インナーシェル１７の上面にクッション１８を張って、このクッション１８を表皮材（図示せず）で上から覆った形態であり、座インナーシェル１７は、樹脂製の座アウターシェル１９に取り付けられている。そして、例えば図４に示すように、座アウターシェル１９が、フロントリンク８及びリアリンク１５に左右横長姿勢のピン２０によって連結されている。人が着座すると、両リンク８，１５がばね力に抗して後ろに倒れ回動し、これにより、座２は後退しつつ下降動する。ベース６の上面には蓋６ｂが固定されており、更に、これらは第１カバー２１で覆われている。
【００２５】
図１や図２において、着座者から見て座２の左前部下方にレバー２２ａが配置されているが、これは昇降用レバーである。図４に示すように、着座者から見て座２の右前部下方には、ロッキングを制御するレバー２２ｂを設けている。
【００２６】
(2).ロッキング機構
図６に示すように、リアブロック１４は、傾動体１２の後部に、押さえ板２４を介してビス（図示せず）で固定されている。従って、リアブロック１４は傾動体１２と一体に回動する。図６に示すように、支軸１３には、ロッキングに抵抗を付与するばね手段の一例として、ねじりコイルばね２５が被嵌している。傾動体１２が後傾すると、ねじりコイルばね２５は、その一端と他端との間隔を狭めるように軸心周りに変形し、これにより、ロッキングに対して抵抗が付与される。
【００２７】
例えば図５に示すように、背支柱１６は、左右２本の縦フレーム２６を有しており、左右縦フレーム２６の上端は連接部２７を介して一体に繋がっている。また、左右縦フレーム２６の間隔は下に向けて少しずつ広がっており、左右縦フレーム２６の下端は、ブロック状のロアジョイント部１６ａに一体に繋がっており、ロアジョイント部１６ａが、リアブロック１４にビス２８（図６参照）で固定されている。
【００２８】
図５（Ｂ）のとおり、ロアジョイント部１６ａの前半分ほどは、リアブロック１４に下方から重なっている。また、ロアジョイント部１６ａには左右一対の前向き係合部２９を設けており、これら前向き係合部２９は、リアブロック１４に形成した係合溝３０に下方から嵌まっている。
【００２９】
着座者が背もたれ３にもたれかかると、背支柱１６とリアブロック１４と傾動体１２とは、ねじりコイルばね２５を弾性変形させながら、支軸１３を中心にして一体に後傾動する。また、リアリンク１５はリアブロック１４に連結しているので、リアリンク１５もリアブロック１４と一体に動くが、リアリンク１５の取り付け部である前向き腕部１４ａの先端部は、支軸１３よりも少し手前に位置しているため、リアリンク１５は、ロッキングに際して少し上昇する。
【００３０】
従って、ロッキングに対して、ねじりコイルばね２５のみでなく着座者の体重の一部も抵抗として作用するが、この着座者の抵抗の大きさは着座者の体重に比例するため、ねじりコイルばね２５を大型化することなく、適度のロッキング抵抗を得ることができる。つまり、ロッキングに対する抵抗が、着座者した人の体重に自動に比例するのであり、このため、ねじりコイルばね２５を小型化することができる。
【００３１】
図４，５に示すように、リアブロック１４及びアジョイント部１６ａの上面は、左右一
対の第２カバー３１で覆われている。背支柱１６は、樹脂製又はアルミダイキャスト製である。同様に、フロントブロック６及びリアブロック１４も、脂製又はアルミダイキャスト製である。リアブロック１４のうち、おおむね支軸１３と同じ前後位置の個所には、肘当てを取り付けるための側面視略三角形の肘当て支持ボス３２が左右外向きに突設されており、肘当て支持ボス３２には、肘当て取り付け穴３３が左右外向きに開口している。
【００３２】
(3).背もたれの前進機構
既述のとおり、人が着座すると背もたれ３の下端部が前進する。この背もたれ３の前進動は、図７に全体を表示した第１連動リンク３５及び第２連動リンク３６によって行われる。第１連動リンク３５は、左右横長の基部３５ａと、基部３５ａの左右両端から手前に延びるアーム部３５ｂと、基部３５ａの左右中間部から後ろ向きに延びる押動部３５ｃとを有しており、図４に示すように、基部３５ａは、ベース６の後ろにおいて、リアブロック１４及びロアジョイント部１６ａとに重なっている。
【００３３】
左右のアーム部３５ｂはベース６の左右外面に配置されており、図７（Ａ）（Ｂ）に示すように、アーム部３５ｂの前後中途部に枢支穴３７が形成されており、図７（Ａ）及び図８（Ｂ）に示すように、枢支穴３７の個所が、ピンを兼用する段付きボルト３５ｄによって、リアブロック１４の前向き腕部１４ａに回動自在に連結されている（なお、図８（Ｂ）では、段付きボルト３５ｄは１つしか表示していない。）。従って、第１連動リンク３５は、枢支穴３７の個所を中心にしてシーソー状に上下回動し得る。
【００３４】
段付きボルト３５ｄは、アーム部３５ｂの左右内側から枢支穴３７に挿通している。他方、リアブロック１４の前向き腕部１４ａには、図８（Ｂ）に符号１４ｆで示すように、上向きに開口したナット保持穴が枢支穴３７と連通した状態に空いており、段付きボルト３５ｄは、ナット保持穴１４ｆにねじ込まれている。図８（Ｃ）に示すように、リアブロック１４の前向き腕部１４ａに、段付きボルト３５ｄの先端を逃がす貫通穴１４ｅが空いている。
【００３５】
図８（Ａ）（Ｂ）から理解できるように、リアブロック１４には、第１連動リンク３５のアーム部３５ａが嵌まり込む凹部１４ｃを形成している。また、リアブロック１４における前向き腕部１４ａの先端部には、アーム部３５ｂの先端の回動を許容する空間１４ｄが形成されている。
【００３６】
アーム部３５ｂの先端は、リアリンク１５の軸受け部１５ａに下向き突設した係合爪３８に係合している。係合爪３８は、リアリンク１５がニュートラル状態のときに、水平に対して若干後傾した姿勢で後ろ向きに延びており、アーム部３５ｂの先端には、係合爪３８が上から嵌まる上向き開口の係合溝３９を形成している。従って、人が着座してリアリンク１５が後傾すると、第１連動リンク３５は、その前端は下降して後端は上昇するように回動する。
【００３７】
第１連動リンク３５における押動部３５ｃの後端（上端）には、第２連動リンク３６の下端部が上からの嵌め込みによって連結されている。すなわち、押動部３５ｃの後端に、第２連動リンク３６の下端が外側から嵌まり込んでいる。この場合、押動部３５ｃと第２連動リンク３６とは、相対姿勢が変化しないように嵌まり合っている。
【００３８】
そして、第２連動リンク３６の上端には、側面視で前向きに開口したクリップ部４０を形成している一方、背もたれ３を構成する背枠４１のロアフレーム４２には、クリップ部４０を左右から挟むような左右のリブ４３を設け、左右のリブ４３に、クリップ部４０が弾性に抗しての変形によって嵌まり込むピン部４４を一体に設けている。
【００３９】
例えば図５（Ａ）から容易に理解できるように、第２連動リンク３６の上端は、第１連動リンク３５の回動支点よりも遥かに上に位置している。従って、着座によって第１連動リンク３５が回動すると、第２連動リンク３６は全体として手前に移動する。これにより、背もたれ３は、その下端が前進するように姿勢が変化する。従って、前記した特許第４９６０６８９号公報の椅子と同様の効果が発揮される。
【００４０】
さて、背もたれが前進する移動量は、人が腰掛ける姿勢によって変化すべきである。つまり、背もたれの前進によって、人が前方へ押し出されることなく、浅く腰掛けた姿勢でも深く腰掛けた姿勢でも人の背中に当たった状態で止まるように工夫する必要がある。そこで、第１連動リンク３５のアーム部３５ｂのうち枢支穴３７の後側の部位を変形許容部３５ｂ′となし、この変形許容部３５ｂ′を上下方向に撓み変形させることにより、背もたれ３の下部が人の背中（腰部）に当たった状態でそれ以上前進しないようにしつつ、リアリンク１５が回動することを許容している。
【００４１】
このような機能は特許文献１も有しており、特許文献１では、ばね手段によって、人の腰掛け深さの位置の違いを吸収していたが、本実施形態のように第１連動リンク３５の弾性変形を利用すると、部材点数を抑制してコストを大幅に抑制できると共に、組み立ての手間の抑制や組み付け精度の向上に貢献できる利点がある。
【００４２】
(4).背部の概要
次に、本願発明の核心である背部を、図９以下の図面も参照して説明する。例えば図９に示すように、背もたれ３は、前後に開口した背枠４１と、背枠４１の前面に重なった上下のシート保持枠４６，４７と、着座者の体圧を受ける可撓性シート４８とを有している。可撓性シート４８は、編地や織地のようなメッシュ状生地であり、横方向に強い弾性力が発揮されるように、強弾性糸を編み込んで（或いは織り込んで）いる。例えば図９や図１１から判るように、上下のシート保持枠４６，４７の突き合わせ面は、水平面に対して傾斜している。正確には、両者の突き合わせ面は、正面視において、左右外側が低くて内側が高くなるように傾斜している。
【００４３】
図９に部分的に示すように、可撓性シート４８の周囲には、樹脂テープ等からなる帯状の縁部材４９を縫着等で固定しており、縁部材４９は、シート保持枠４６，４７の裏面に装着（係止）されている。可撓性シート４８は、シート保持枠４６，４７の前から裏側に巻き込まれているので、シート保持枠４６，４７は可撓性シート４８によって全体が隠れているが、透けて見えることは有り得る。
【００４４】
また、シート保持枠４６，４７は、上シート保持枠４６と下シート保持枠４７とに分割されているが、可撓性シート４８は１枚である。上シート保持枠４６と下シート保持枠４７との上下高さの比率は、任意に設定できる。
【００４５】
背枠４１は、上下方向に長い左右のサイドフレーム５０と、左右サイドフレーム５０の上端に繋がったアッパーフレーム５１と、左右サイドフレーム５０の下端間に繋がったロアフレーム４２とで構成されており、全体的には、正面視で概ね四角形になっている。
【００４６】
他方、アッパーフレーム５１は折り曲げ状部を構成するものであり、その全体がサイドフレーム５０の後ろに位置しており、側面視では、後ろ下向きに向かうように折り返された形態になっている。
【００４７】
他方、上シート保持枠４６は、背枠４１のサイドフレーム５０に手前から重なるサイドメンバー５２と、左右サイドフレーム５０の上端に一体に繋がったアッパーシェル５３とを有している。アッパーシェル５３はアッパーメンバーと同じ意味であり、左右サイドメ
ンバー５２の上端間に延びる横長装架部５３ａと、横長装架部５３ａから後ろ下向きに曲がったカール部５３ｂとを有しており、カール部５３ｂが、背枠４１のアッパーフレーム５１に固定されている。左右サイドフレーム５０の上端間を結ぶ線を基準線とすると、横長装架部５３ａは、平面視で少し後ろ向き凸状に湾曲しているものの、概ね、基準線に沿って延びている。
【００４８】
アッパーフレーム５１は、側面視でサイドフレーム５０の上端から後ろ下向きに折り返された形状になっている。このため、特段の措置を講じていないと、可撓性シート４８の上端部では、当該可撓性シート４８のテンションだけで着座者の身体を支えねばならず、すると、十分な身体支持力を保持できずに、身体が後ろにずれて不快感を与えたり、安定性が悪くなったりする虞がある。
【００４９】
これに対して本実施形態では、アッパーフレーム５１を折り返しても、アッパーシェル５３の横長装架部５３ａによって身体を支持できるため、身体が後ろにずれて不快感を与えたり、安定性が悪くなったりすることを無くすことができる。
【００５０】
図示の例では、横長装架部５３ａの前面は平面視で前向き凹状に緩く湾曲しており、可撓性シート４８の前面の上端部が横長装架部５３ａの前面に重なっているが、横長装架部５３ａを、可撓性シート４８の前面上端との間に間隔が空くように、後ろ側に大きく湾曲させる（曲率半径を小さくする）ことも可能である。この場合は、着座者の背中が横長装架部５３ａに当たることを防止又は抑制できる。人の背中に対する緩衝手段としては、横長装架部５３ａの前面に、ウレタンシート等の緩衝材を配置することも可能である。
【００５１】
下シート保持枠４７の大部分は、背枠４１のロアフレーム４２に重なった水平状部４７ａで構成されており、水平状部４７ａの左右両端に、背枠４１のサイドフレーム５０の下部に重なる起立部４７ｂを一体に設けている。
【００５２】
本実施形態では、背枠４１のアッパーフレーム５１と上シート保持枠４６のカール部５３ｂとが一体になって、折り曲げ状部を構成している。そこで、枠体４１のアッパーフレーム５１は、カール部５３ｂで後ろからも覆われている。図２に示すように、カール部５３ｂの全体が可撓性シート４８で覆われている。また、アッパーフレーム５１及びカール部５３ｂの手前には、左右全長にわたって空間が空いている。
【００５３】
(5).背枠４１及びその取り付け構造
次に、背もたれ３の詳細を説明する。まず、背枠４１の構造と、背支柱１６への取り付け構造を説明する。例えば図９から理解できるように、背枠４１を構成するサイドフレーム５０とロアフレーム４２とは、前向きに開口した断面Ｖ形になっている。従って、着座者の体圧によって容易に変形するものではない。サイドフレーム５０は、その下寄り部位が最も前になるように側面視で湾曲している。従って、可撓性シート４８にはランバーサポート部が形成されている。他方、ロアフレーム４２は、平面視で前向き凹状に緩く曲がっている。
【００５４】
図９や図１５から理解できるように、サイドフレーム５０は、基本的には前向き開口Ｖ型の横断面形状であるが、上端部はコ字形の浅い溝状になっている。他方、アッパーフレーム５１のうちサイドフレーム５０に連続した左右端部は、側面視でＵ形に曲がった平板状のヒンジ部５４になっている。このヒンジ部５４が変形して背もたれ３の姿勢が変化することにより、背もたれ３は、着座によって下端が前進する。
【００５５】
本実施形態では、ヒンジ部５４はアッパーフレーム５１の左右端部で構成されているが、サイドフレーム５０の上端部もヒンジ部５４の一部とすることは可能である。すなわち
、サイドフレーム５０とアッパーフレーム５１との連接部をヒンジ部５４と成すことが可能である（サイドフレーム５０とアッパーフレーム５１との境界は、厳密には特定し難いので、サイドフレーム５０とアッパーフレーム５１との連接部がヒンジ部５４になっている見た方が合理的であるとも云える。）。
【００５６】
アッパーフレーム５１において、容易な変形が許容されているのは左右端部であるヒンジ部５４だけであり、ヒンジ部５４を除いた部分は、着座者の体圧で容易には変形しない剛体構造になっている。そして、背支柱１６の連接部２７は背面視で上向き凸に湾曲している一方、アッパーフレーム５１の左右中間部に、背支柱１６の連接部２７に上から嵌まるように下向きに開口したドーム部５５を形成している。例えば図２に示すように、カール部５３ｂの左右中間部にも、連接部２７と嵌まり合う円弧状の下向き開口溝５５′が形成されている。
【００５７】
また、アッパーフレーム５１のうちドーム部５５を挟んだ左右両端の部位は、左右外側に向けて高くなるように（ドーム部５５に向けて低くなるように）傾斜しており、アッパーフレーム５１を全体として見ると、背面視では、下向き凸に湾曲したナベ形状になっている。これに対応して、カール部５３ｂも、背面視で下向き凸に湾曲したナベ形状になっている。
【００５８】
図１３（Ａ）に示すように、左右背支柱１６の上端部に、左右外側に張り出した枝杆５６が一体に形成されている一方、アッパーフレーム５１のうちドーム部５５の左右両側の部分には、枝杆５６が嵌まる溝５７を形成している。このように、アッパーフレーム５１を枝杆５６に嵌め込むことにより、支持強度のアップとねじれ防止機能強化とが図られている。
【００５９】
アッパーフレーム５１と枝杆５６とは、両者に下方から挿通したビスで締結されている。アッパーフレーム５１には、ビスが螺合するナットを配置している。図９や図１３（Ａ）には、枝杆５６のビス挿通穴５８が見えている。図９に示すように、背支柱１６を構成する左右縦フレーム２６は、前向きに開口した平断面Ｖ形の溝状の形態になっている。従って、背支柱１６も、着座者の体圧で容易に変形することは想定していない（着座者にクッション性を付与するような変形は想定していないという意味であり、全く変形しない完全な剛体であるという意味ではない。）。
【００６０】
(6).背枠へのシート保持枠の取り付け構造
本実施形態では、背枠４１へのシート保持枠４６，４７の取り付けは、まず、上シート保持枠４６を背枠４１に取り付けてから、次いで、図１３（Ｂ）に示すように、下シート保持枠４７を背枠４１に重ねる、という手順で取り付けられる。従って、上シート保持枠４６のカール部５３ｂが背枠４１のアッパーフレーム５１に嵌合することと、上シート保持枠４６のサイドメンバー５２が背枠４１のサイドフレーム５０に嵌合することとが、一連に行われる。尚、シート保持枠４６，４７には、後述の方法で予め可撓性シート４８が取り付けられている。
【００６１】
そして、例えば図１４に示すように、カール部５３ｂとアッパーフレーム５１との嵌合手段として、アッパーフレーム５１に、左右中間から外側に向かって、順に、第１係合穴６０，第２係合穴６１，第３係合穴６２が、左右一対ずつ上向きに開口するように形成されている一方、カール部５３ｂの前面には、各係合穴６０，６１，６２に対応して、第１〜第３の係合突起６３〜６５を設けている。
【００６２】
この場合、第１係合溝６０は後ろと上とに開口した単純な形状であるが、第２係合溝６１は上内面を有する後ろ向き開口の袋状で、第３係合穴６２は、下向きにも開口した袋状
になっている。一方、第２係合突起６５は側面視でＴ型の爪形状であり（図９も参照）、第２係合穴６１には弾性に抗しての変形によって嵌まる。そして、第２係合穴６１に、第２係合突起６５の上端が第２係合穴６２の上内面に当接して、アッパーシェル５３は（カール部５３ｂは）上向き動不能に保持される。第２係合突起６５の上部の前面は、弾性に抗して第２係合穴６１に嵌まり込むことがスムースになるように、側面視で傾斜している（弾性変形により、上端の爪部が前後に移動する。）。
【００６３】
第３係合突起６６は側面視Ｌ型の爪形状であり、この第３係合突起６６が第３係合穴６２に嵌まることにより、アッパーシェル５３は（カール部５３ｂは）、前後ずれ不能に保持される。なお、アッパーフレーム５１には、ハンガーとベッドレストを取り付けることができるが、この点の説明は省略する。
【００６４】
図１１，１２では、背枠４１は手前から見た状態に表示して、シート保持枠４６，４７は後ろから見た状態（１８０°程度反転させた状態）に表示している。これら図１１，１２から理解できるように、第１シート保持枠４６のサイドメンバー５２に、縦長の第１位置決め突起６７と下向き鉤爪６８との対を上下に３対後ろ向き突設している一方、背枠４１のサイドフレーム５０には、位置決め突起６７を左右から挟む左右一対の第１触れ止め突起６９と、下向き鉤爪６８が上から嵌まる平面視門型の第１爪キャッチ７０を上下に３段ずつ形成している。
【００６５】
下シート保持枠４７を背枠４１に取り付ける手段としては、まず、下シート保持枠４７における起立部４７の上端に上向き鉤爪７１を突設し、その下方に第２位置決め突起７２を形成し、更に、水平状部４７ａの左右両端に横向き鉤爪７３を設ける一方、背枠４１のサイドフレーム５０には、上向き鉤爪７１が下方から嵌まる第２爪キャッチ７４と、第２位置決め突起７２が手前から嵌まる第２触れ止め片７５とを形成し、更に、ロアフレーム４２には、横向き鉤爪７３が係合する側面視門型の第３爪キャッチ７６を設けている。
【００６６】
そして、背もたれ３の組み立てに際しては、まず、上シート保持枠４６を上から下に向けて移動させることにより、カール部５３ｂをアッパーフレーム５１に装着するのと同時に、サイドメンバー５２をサイドフレーム５０に嵌め込み装着する。このとき、上シート保持枠４６のサイドメンバー５２とカール部５３ｂとにより、背枠４１の上部が前後から挟まれた状態になっているため、上シート保持枠４６を、背枠４１に対してスムースに装着できる。
【００６７】
また、サイドメンバー５２とサイドフレーム５０との関係について述べると、サイドメンバー５２の下向き動により、第１位置決め片６７が第１触れ止め片６９の間に嵌まり込むと共に、下向き鉤爪６８が第１爪キャッチ７０に上から入り込む。これにより、サイドメンバー５２は左右方向と前後方向とにずれ不能に保持される。サイドフレーム５０への上シート保持枠４６の嵌め込みの終期に、アッパーシェル５３をアッパーフレーム５１に押し付けて、係合突起６３〜６５を係合穴６０〜６２に嵌め込む。
【００６８】
そして、上シート保持枠４６を背枠４１に取り付けた状態で、図１３（Ｂ）に示すようにして、まず、下シート保持枠４７の上向き鉤爪７１を、サイドフレーム５０の第２爪キャッチ７４に下方から嵌め込んで、左右の第２爪キャッチ７４を支点にした状態で、下シート保持枠４７を背枠４１に押し付けると、第２位置決め突起７２が第２触れ止め片６９の間に嵌まり込むと共に、横向き鉤爪７３が、その弾性に抗して変形することにより、第３爪キャッチ７６に係合する。
【００６９】
そして、上下のシート保持枠４６，４７は１枚の可撓性シート４８に取り付けられているため、下シート保持枠４７を背枠４１に装着すると、上下シート保持枠４６，４７は可
撓性シート４８によって互いに近づくように引かれる。このため、上下シート保持枠４６，４７と上下動不能に保持される。図６に示すように、下シート保持枠４７は、背枠４１のロアフレーム４２にビス７７で固定されている。ビス７７は左右中間部に位置しており、第２連動リンク３６の上端部で隠れている。このため、美観を悪化させることなく、下シート保持枠４７をロアフレーム４２に固定できる。
【００７０】
図９や図１６に示すように、アッパーフレーム５１の左右中間部（ドーム部５５の上端部）には、前向きと上向きに開口した蟻溝７８を設けており、蟻溝７８に手前からナット（図示せず）を嵌め込むことができる。そして、背支柱１６の上端とドーム部５５の上端とには、蟻溝７８に連通するビス穴７９が空いている。下方からナットにビスをねじ込むことにより、ハンガー（図示せず）を取り付けることができる。
【００７１】
図１５では、サイドメンバー５２とサイドフレーム５０との装着関係を表示している。縁部材４９は、シート保持枠４６，４７に設けたボス８０に掛け止めしている。そこで、縁部材４９には、ボス８０が嵌まる穴８１を飛び飛びで空けている。ボス８０は、カール部５３ｂの外周縁の前面にも突設している。縁部材４９には、鉤爪６８，７１，７３と位置決め突起６７，７２との干渉を回避するための切り抜き穴が、飛び飛びで多数形成されている。
【００７２】
例えば図１０，１４に示すように、上シート保持枠４６のカール部５３ｂには、軽量化等のため、縦長のスリット８２の群が左右に並べて形成されている。また、横長装架部５３ａの左右両端とサイドメンバー５２との間には、前向きに開口した切り込み８３が形成されている。この切り込み８３により、サイドメンバー５２とアッパーシェル５３との相対的な弾性変形が容易化されて、背枠４１のヒンジ部５４の変形を容易にしている。つまり、ヒンジ部５４の近傍箇所において、サイドメンバー５２とアッパーシェル５３とを縁切りすることにより、ヒンジ部５４の変形に対してアッパーシェル５３が抵抗として作用しないように配慮しているのであり、その結果、ヒンジ部５４の変形が容易になる。
【００７３】
また、切り込み８３の存在により、アッパーシェル５３は、後ろ向きに曲がるような状態に多少は変形しやすくなっている。このため、人の背中が横長装架部５３ａに当たったときの緩衝作用に優れている。切り込み８３は、左右中間部に１か所だけ形成したり、適当な間隔で左右方向に３つ以上形成たりというように、数は任意に設定できる。
【００７４】
本実施形態では、可撓性シート４８はシート保持枠４６，４７に装着しているため、可撓性シート４８の取り付け作業を簡単かつ正確に行える。更に、シート保持枠４６，４７を上下に分割し、背枠４１に対して、下シート保持枠４７を回動させて取付ける方式にしているが、下シート保持枠４７は回動スパンを大きくして強い力を掛けることができるため、背枠４１に対して、シート保持枠４６，４７を取付ける工程で、可撓性シート４８に、テコの原理で強いテンションを付与することができる。この点、本実施形態の利点の一つである。
【００７５】
アッパーシェル５３は、可撓性シート４８の取り付けと保形との機能を併有しているが、アッパーシェル５３をシート保持枠４６，４７に一体化しているため、それだけ構造が簡単化になると共に、可撓性シート４８の取り付け精度も向上できる。この点も、本実施形態の利点の一つである。
【００７６】
本実施形態のように、背支柱１６の上端の連接部２７を円弧状に湾曲させて、カール部５３ｂと噛み合わせた形態にすると、前後方向からの外力と平面視でねじる外力に対して高い抵抗を発揮して、剛性を高めることができる。更に、枝杆５６は連接部２７の上端よりも少し低くなっているため、前後方向からの外力に対する抵抗は一層向上している。
【００７７】
(7).その他
以上、本願発明の一例を説明したが、本願発明は他にも様々に具体化できる。例えば、保形部材はアッパーシェルには限らず、棒状の部材や平板状の部材であってもよい（いずれにしても、平面視で基準線に対して後ろに少し撓んだ形態であるのが好ましい。）。アッパーシェルを採用する場合、変形し易くするための手段として、左右長手のスリットを１本又は複数本多段に形成してもよい。
【００７８】
シート保持枠を使用せずに、メッシュ状等の可撓性シートを背枠に直接取り付けることも可能である。また、シート保持枠を使用する場合、縁部材を使用せずに、可撓性シートを、縫着やタッカー止め、或いは接着等によって、シート保持枠に取り付けることも可能である。
【００７９】
更に、シート保持枠を使用する場合、上下に分割せずに全体を一体化してもよい。或いは、上下３つ以上に分割したり、左右のサイドメンバーとロアメンバーとアッパーシェルとの４つの部分に分割したりすることも可能である。シート保持枠を左右の複数個に分割することも可能である。
【００８０】
着座によって背もたれの下部が前進するタイプの椅子に適用する場合、背もたれの姿勢変更を可能にする手段としては、実施形態のように背枠にヒンジ部を設けることには限らない。例えば、背支柱の枝杆５６に、上向きに開口した左右横長の軸受け部を設ける一方、アッパーフレームに、軸受け部に上から嵌まる左右横長の軸部を設けるといったことも可能である（軸受け部をアッパーフレームに設けて、軸部を枝杆５６に設けてもよい。）。或いは、アッパーフレームと背支柱とを左右横長のピン（支軸）で連結することも可能である。
【００８１】
着座によって背もたれの下部を前進させることに代えて、背もたれを、非着座状態で下部を前進させておいて、人の腰掛け深さに応じて背もたれの下部が後ろに押される構成を採用することも可能である（背もたれの下部の後退はばね手段で後ろから支えることになる。）。この場合は、座は、必ずしも下降させたり後退させたりする必要はないが、着座によって座を下降及び後退させてもよい。
【００８２】
図示した実施形態では、アッパーフレームを背支柱に固定しているが、サイドフレームを背支柱に固定することも可能である。この場合、アッパーフレームの左右中間部に手を当てて後ろに引くことが可能になる。アッパーシェルのうち少なくとも横長装架部の外面（前面）に、ウレタン等の緩衝材を重ね配置することも可能である。また、アッパーシェルの横長装架部とカール部とを別部材で構成するというように、アッパーシェルを前後複数の部材で構成することも可能である。
【００８３】
背支柱も、左右中間部に１本だけ配置した形態や、２本の縦フレームを平行に配置した形態など、様々な態様を採用できる。また、本願発明は、着座しても座の側面視姿勢が変化しないタイプの椅子にも適用できるのであり、この場合は、背もたれの下部や上下中途部を背支柱に固定したらよい。また、この場合は、背枠のヒンジ部は不要になる。
【００８４】
実施形態では、背もたれ（或いは背もたれ本体）の上端部と折り曲げ状部とによって側面視で逆Ｕ型の形態になっているが、逆Ｖ形に形成したり、下向き開口コ字型に形成したりすることも可能である。また、カール部は、背面視で逆三角形状や逆台形状のシャープなラインを有する形態に形成することも可能である。
【産業上の利用可能性】
【００８５】
本願発明は、椅子に具体化できる。従って、産業上利用できる。
【符号の説明】
【００８６】
３  背もたれ
１６  背支柱
２６  背支柱の縦フレーム
２７  背支柱の連接部
４１  背枠
４２  ロアフレーム
４６  上シート保持枠
４７  下シート保持枠
４８  可撓性シート
５０  背枠のサイドフレーム
５１  背枠のアッパーフレーム
５２  上シート保持枠のサイドメンバー
５３  上シート保持枠のアッパーメンバーであるアッパーシェル
５３ａ  横長装架部
５３ｂ  カール部
５４  ヒンジ部
【図１】
2020185463.tif 000003
【図２】
2020185463.tif 000004
【図３】
2020185463.tif 000005
【図４】
2020185463.tif 000006
【図５】
2020185463.tif 000007
【図６】
2020185463.tif 000008
【図７】
2020185463.tif 000009
【図８】
2020185463.tif 000010
【図９】
2020185463.tif 000011
【図１０】
2020185463.tif 000012
【図１１】
2020185463.tif 000013
【図１２】
2020185463.tif 000014
【図１３】
2020185463.tif 000015
【図１４】
2020185463.tif 000016
【図１５】
2020185463.tif 000017
【図１６】
2020185463.tif 000018
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
前後に開口した背枠と、
前記背枠に手前から張られた可撓性シートと、
を備えており
前記背枠は、上下長手の左右サイドフレームと、前記左右サイドフレームの上端を結ぶ基準線の後方に突出した状態で前記左右サイドフレームの上端に繋がったアッパーフレームと、を有し、
前記左右サイドフレームの上端間には、前記アッパーフレームの手前に位置した横長装架部と、前記アッパーフレームを後ろから覆い隠すカール部と、が一体に形成されたアッパーシェルが配置され、
前記アッパーシェルは、その全体が前記可撓性シートの上端部によって上及び後ろから覆われ、
前記可撓性シートの上端部は、前記アッパーシェルによって保持され、視認されるように上及び後ろに露出している、
椅子の背もたれ。
【請求項２】
前記背枠のアッパーフレームは、側面視において、前記サイドフレームの上端から後ろ下向きに折り返された形態を成している、
請求項１記載した椅子の背もたれ。
【請求項３】
前記アッパーシェルにおける横長装架部の左右両端部に、前向きに開口した切り開き溝が形成されている、
請求項２に記載した椅子の背もたれ。
【手続補正２】
【補正対象書類名】明細書
【補正対象項目名】０００５
【補正方法】変更
【補正の内容】
【０００５】
特許文献１のような構造の場合、可撓性シートの前面の上端とアッパーフレームとの間隔が小さい場合はさほど問題ないが、間隔が広がると、可撓性シートの上端部が過度に変形して、可撓性シートによる身体の支持安定性が悪化してしまう問題がある。また、可撓性シートに弛みも生じやすい。特に、アッパーフレームが後ろ下向きに折り返されていると、可撓性シートの支持安定性低下が顕著に現れると云える。
【手続補正３】
【補正対象書類名】明細書
【補正対象項目名】０００７
【補正方法】変更
【補正の内容】
【０００７】
本願発明は様々な構成を含んでおり、その典型例を各請求項で特定している。このうち請求項１の発明では、
「前後に開口した背枠と、
前記背枠に手前から張られた可撓性シートと、
を備えており
前記背枠は、上下長手の左右サイドフレームと、前記左右サイドフレームの上端を結ぶ基準線の後方に突出した状態で前記左右サイドフレームの上端に繋がったアッパーフレームと、を有し、
前記左右サイドフレームの上端間には、前記アッパーフレームの手前に位置した横長装架部と、前記アッパーフレームを後ろから覆い隠すカール部と、が一体に形成されたアッパーシェルが配置され、
前記アッパーシェルは、その全体が前記可撓性シートの上端部によって上及び後ろから覆われ、
前記可撓性シートの上端部は、前記アッパーシェルによって保持され、視認されるように上及び後ろに露出している」
という構成になっている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２の発明は、請求項１において、
「前記背枠のアッパーフレームは、側面視において、前記サイドフレームの上端から後ろ下向きに折り返された形態を成している」
という構成になっている。
【手続補正７】
【補正対象書類名】明細書
【補正対象項目名】００１１
【補正方法】変更
【補正の内容】
【００１１】
請求項３の発明は、請求項２において、
「前記アッパーシェル保形部材における横長装架部の左右両端部に、前向きに開口した切り開き溝が形成されている」
という構成になっている。
【手続補正８】
【補正対象書類名】明細書
【補正対象項目名】００１２
【補正方法】変更
【補正の内容】
【００１２】
本願発明では、保形部材たるアッパーシェルが可撓性シートの上部の形態を保持する保形機能を有するため、背枠のアッパーフレームがデザイン等の要請で後ろや後ろ下方に大きく後退していても、可撓性シートの上端部を保形して、着座者の身体をしっかりと支持できる。また、可撓性シートの弛みも防止できる。このため、着座者の支持安定性を損なうことなく、アッパーフレームの設計の自由性を向上できる。
【手続補正９】
【補正対象書類名】明細書
【補正対象項目名】００１３
【補正方法】変更
【補正の内容】
【００１３】
そして、請求項１の発明では、アッパーシェル保形部材として使用しているため、可撓性シートの取り付けの手間を軽減できるのみならず、可撓性シートをピンと張った状態に保持することも簡単である。
【手続補正１０】
【補正対象書類名】明細書
【補正対象項目名】００１４
【補正方法】変更
【補正の内容】
【００１４】
また、アッパーフレームを覆うアッパーシェルは可撓性シートの上端部で覆われて、その存在が視認できないか又はし難いため、外観をシンプル化して見た目も良くすることができる。また、可撓性シートは、浮きを生じることなくカール部の外面に密着させることができるため、美観がより一層優れている。
【手続補正１１】
【補正対象書類名】明細書
【補正対象項目名】００１５
【補正方法】変更
【補正の内容】
【００１５】
請求項３の構成を採用すると、アッパーシェルは、切り開き溝の個所で曲げ強度が低くなるため、着座者の体圧がアッパーシェルの横長装架部にかかったときに、アッパーシェルを後ろ側に曲がるように弾性変形させることが容易になる。すなわち、アッパーシェルを着座者の体圧によって変形させることが可能になる。これにより、アッパーシェルを設けたことによる突っ張り感を防止しやすくなる。
【手続補正１２】
【補正対象書類名】明細書
【補正対象項目名】００１６
【補正方法】変更
【補正の内容】
【００１６】
また、実施形態のように、背枠のうち、アッパーフレームの左右端部（又はアッパーフレームとサイドフレームとの連接部）を容易に変形し得るヒンジ部となすことにより、背もたれの側面視姿勢を容易に変化させ得るように構成した場合、請求項３のようにアッパーシェルの左右端部に切り欠きを形成していると、アッパーシェルも切り欠きの個所で容易に変形するため、背枠におけるヒンジ部の変形がアッパーシェルによって阻害されることを抑制して、背もたれの姿勢の変化を確実化することもできる。
【手続補正１３】
【補正対象書類名】明細書
【補正対象項目名】００３１
【補正方法】変更
【補正の内容】
【００３１】
図４，５に示すように、リアブロック１４及びアジョイント部１６ａの上面は、左右一対の第２カバー３１で覆われている。背支柱１６は、樹脂製又はアルミダイキャスト製である。同様に、フロントブロック６及びリアブロック１４も、樹脂製又はアルミダイキャスト製である。リアブロック１４のうち、おおむね支軸１３と同じ前後位置の個所には、肘当てを取り付けるための側面視略三角形の肘当て支持ボス３２が左右外向きに突設されており、肘当て支持ボス３２には、肘当て取り付け穴３３が左右外向きに開口している。
【手続補正１４】
【補正対象書類名】明細書
【補正対象項目名】００４９
【補正方法】変更
【補正の内容】
【００４９】
これに対して本実施形態では、アッパーフレーム５１を折り返しても、可撓性シート４８の保形部材たるアッパーシェル５３の横長装架部５３ａによって身体を支持できるため、身体が後ろにずれて不快感を与えたり、安定性が悪くなったりすることを無くすことができる。
【手続補正１５】
【補正対象書類名】明細書
【補正対象項目名】００５２
【補正方法】変更
【補正の内容】
【００５２】
本実施形態では、背枠４１のアッパーフレーム５１と上シート保持枠４６のカール部５３ｂとが一体になって、折り曲げ状部を構成している。そこで、背枠４１のアッパーフレーム５１は、カール部５３ｂで後ろからも覆われている。図２に示すように、カール部５３ｂの全体が可撓性シート４８で覆われている。また、アッパーフレーム５１及びカール部５３ｂの手前には、左右全長にわたって空間が空いている。
【手続補正１６】
【補正対象書類名】明細書
【補正対象項目名】００５５
【補正方法】変更
【補正の内容】
【００５５】
本実施形態では、ヒンジ部５４はアッパーフレーム５１の左右端部で構成されているが、サイドフレーム５０の上端部もヒンジ部５４の一部とすることは可能である。すなわち、サイドフレーム５０とアッパーフレーム５１との連接部をヒンジ部５４と成すことが可能である（サイドフレーム５０とアッパーフレーム５１との境界は、厳密には特定し難いので、サイドフレーム５０とアッパーフレーム５１との連接部がヒンジ部５４になっていると見た方が合理的であるとも云える。）。
【手続補正１７】
【補正対象書類名】明細書
【補正対象項目名】００６２
【補正方法】変更
【補正の内容】
【００６２】
この場合、第１係合溝６０は後ろと上とに開口した単純な形状であるが、第２係合溝６１は上内面を有する後ろ向き開口の袋状で、第３係合穴６２は、下向きにも開口した袋状になっている。一方、第２係合突起６４は側面視でＴ型の爪形状であり（図９も参照）、第２係合穴６１には弾性に抗しての変形によって嵌まる。そして、第２係合突起６４の上端が第２係合穴６１の上内面に当接して、アッパーシェル５３は（カール部５３ｂは）上向き動不能に保持される。第２係合突起６４の上部の前面は、弾性に抗して第２係合穴６１に嵌まり込むことがスムースになるように、側面視で傾斜している（弾性変形により、上端の爪部が前後に移動する。）。
【手続補正１８】
【補正対象書類名】明細書
【補正対象項目名】００６３
【補正方法】変更
【補正の内容】
【００６３】
第３係合突起６５は側面視Ｌ型の爪形状であり、この第３係合突起６６が第３係合穴６２に嵌まることにより、アッパーシェル５３は（カール部５３ｂは）、前後ずれ不能に保持される。なお、アッパーフレーム５１には、ハンガーとベッドレストを取り付けることができるが、この点の説明は省略する。
【手続補正１９】
【補正対象書類名】明細書
【補正対象項目名】００６４
【補正方法】変更
【補正の内容】
【００６４】
図１１，１２では、背枠４１は手前から見た状態に表示して、シート保持枠４６，４７は後ろから見た状態（１８０°程度反転させた状態）に表示している。これら図１１，１２から理解できるように、第１シート保持枠４６のサイドメンバー５２に、縦長の第１位置決め突起６７と下向き鉤爪６８との対を上下に３対後ろ向き突設している一方、背枠４１のサイドフレーム５０には、位置決め突起６７を左右から挟む左右一対の第１振れ止め突起６９と、下向き鉤爪６８が上から嵌まる平面視門型の第１爪キャッチ７０を上下に３段ずつ形成している。
【手続補正２０】
【補正対象書類名】明細書
【補正対象項目名】００６５
【補正方法】変更
【補正の内容】
【００６５】
下シート保持枠４７を背枠４１に取り付ける手段としては、まず、下シート保持枠４７における起立部４７の上端に上向き鉤爪７１を突設し、その下方に第２位置決め突起７２を形成し、更に、水平状部４７ａの左右両端に横向き鉤爪７３を設ける一方、背枠４１のサイドフレーム５０には、上向き鉤爪７１が下方から嵌まる第２爪キャッチ７４と、第２位置決め突起７２が手前から嵌まる第２振れ止め片７５とを形成し、更に、ロアフレーム４２には、横向き鉤爪７３が係合する側面視門型の第３爪キャッチ７６を設けている。
【手続補正２１】
【補正対象書類名】明細書
【補正対象項目名】００６７
【補正方法】変更
【補正の内容】
【００６７】
また、サイドメンバー５２とサイドフレーム５０との関係について述べると、サイドメンバー５２の下向き動により、第１位置決め片６７が第１振れ止め片６９の間に嵌まり込むと共に、下向き鉤爪６８が第１爪キャッチ７０に上から入り込む。これにより、サイドメンバー５２は左右方向と前後方向とにずれ不能に保持される。サイドフレーム５０への上シート保持枠４６の嵌め込みの終期に、アッパーシェル５３をアッパーフレーム５１に押し付けて、係合突起６３〜６５を係合穴６０〜６２に嵌め込む。
【手続補正２２】
【補正対象書類名】明細書
【補正対象項目名】００６８
【補正方法】変更
【補正の内容】
【００６８】
そして、上シート保持枠４６を背枠４１に取り付けた状態で、図１３（Ｂ）に示すようにして、まず、下シート保持枠４７の上向き鉤爪７１を、サイドフレーム５０の第２爪キャッチ７４に下方から嵌め込んで、左右の第２爪キャッチ７４を支点にした状態で、下シート保持枠４７を背枠４１に押し付けると、第２位置決め突起７２が第２振れ止め片６９の間に嵌まり込むと共に、横向き鉤爪７３が、その弾性に抗して変形することにより、第３爪キャッチ７６に係合する。
【手続補正２３】
【補正対象書類名】明細書
【補正対象項目名】００６９
【補正方法】変更
【補正の内容】
【００６９】
そして、上下のシート保持枠４６，４７は１枚の可撓性シート４８に取り付けられているため、下シート保持枠４７を背枠４１に装着すると、上下シート保持枠４６，４７は可撓性シート４８によって互いに近づくように引かれる。このため、上下シート保持枠４６，４７は上下動不能に保持される。図６に示すように、下シート保持枠４７は、背枠４１のロアフレーム４２にビス７７で固定されている。ビス７７は左右中間部に位置しており、第２連動リンク３６の上端部で隠れている。このため、美観を悪化させることなく、下シート保持枠４７をロアフレーム４２に固定できる。
【手続補正２４】
【補正対象書類名】明細書
【補正対象項目名】００７２
【補正方法】変更
【補正の内容】
【００７２】
例えば図１０，１４に示すように、上シート保持枠４６のカール部５３ｂには、軽量化等のため、縦長のスリット８２の群が左右に並べて形成されている。また、横長装架部５３ａの左右両端とサイドメンバー５２との間には、前向きに開口した切り開き溝８３が形成されている。この切り開き溝８３により、サイドメンバー５２とアッパーシェル５３との相対的な弾性変形が容易化されて、背枠４１のヒンジ部５４の変形を容易にしている。つまり、ヒンジ部５４の近傍箇所において、サイドメンバー５２とアッパーシェル５３とを縁切りすることにより、ヒンジ部５４の変形に対してアッパーシェル５３が抵抗として作用しないように配慮しているのであり、その結果、ヒンジ部５４の変形が容易になる。
【手続補正２５】
【補正対象書類名】明細書
【補正対象項目名】００７３
【補正方法】変更
【補正の内容】
【００７３】
また、切り開き溝８３の存在により、アッパーシェル５３は、後ろ向きに曲がるような状態に多少は変形しやすくなっている。このため、人の背中が横長装架部５３ａに当たったときの緩衝作用に優れている。切り開き溝８３は、左右中間部に１か所だけ形成したり、適当な間隔で左右方向に３つ以上形成したりというように、数は任意に設定できる。
【手続補正２６】
【補正対象書類名】明細書
【補正対象項目名】００７７
【補正方法】変更
【補正の内容】
【００７７】
(7).その他
以上、本願発明の一例を説明したが、本願発明は他にも様々に具体化できる。例えば、アッパーシェルを採用するにおいて、変形し易くするための手段として、左右長手のスリットを１本又は複数本多段に形成してもよい。
【手続補正２７】
【補正対象書類名】明細書
【補正対象項目名】００７８
【補正方法】変更
【補正の内容】
【００７８】
た、シート保持枠を使用するにおいて、縁部材を使用せずに、可撓性シートを、縫着やタッカー止め、或いは接着等によって、シート保持枠に取り付けることも可能である。
【手続補正２８】
【補正対象書類名】明細書
【補正対象項目名】００８２
【補正方法】変更
【補正の内容】
【００８２】
図示した実施形態では、アッパーフレームを背支柱に固定しているが、サイドフレームを背支柱に固定することも可能である。この場合、アッパーフレームの左右中間部に手を当てて後ろに引くことが可能になる。アッパーシェルのうち少なくとも横長装架部の外面（前面）に、ウレタン等の緩衝材を重ね配置することも可能である。
【手続補正２９】
【補正対象書類名】明細書
【補正対象項目名】００８４
【補正方法】変更
【補正の内容】
【００８４】
実施形態では、背もたれ（或いは背もたれ本体）の上端部と折り曲げ状部とによって側面視で逆Ｕ型の形態になっているが、逆Ｖ形に形成したり、下向き開口コ字型に形成したりすることも可能である。また、アッパーシェルのカール部は、背面視で逆三角形状や逆台形状のシャープなラインを有する形態に形成することも可能である。
【手続補正３０】
【補正対象書類名】図面
【補正対象項目名】図９
【補正方法】変更
【補正の内容】
【図９】
2020185463.tif 000019